【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
複数のデバイスを備える画像形成装置であって、
前記画像形成装置を、表示手段が画面を表示しないスリープ状態から前記表示手段が画面を表示するスタンバイ状態に復帰させる指示を受け付ける受信手段と、
前記画像形成装置が前記スリープ状態から前記スタンバイ状態に復帰したときに前記表示手段によって表示される初期画面を設定する設定手段と、
前記受信手段が前記指示を受け付けたとき、前記画像形成装置が前記スリープ状態から前記スタンバイ状態に復帰したときに表示される初期画面であって前記設定手段によって設定された前記初期画面に基づいて、前記複数のデバイスへの電力供給を制御する電力制御手段と、
を備えることを特徴とする画像形成装置。
【請求項２】
前記指示は、前記画像形成装置を前記スリープ状態から前記スタンバイ状態に復帰させるためにユーザが操作するボタンが押下されたときに、入力される、ことを特徴とする請求項１記載の画像形成装置。
【請求項３】
前記複数のデバイスは、プリント機能を実行するプリント手段、及び、スキャン機能を実行するスキャナ手段、を含むことを特徴とする請求項１又は２に記載の画像形成装置。
【請求項４】
前記設定手段によって設定される前記初期画面は、コピー機能の設定を行うためのコピー画面であって、
前記電力制御手段は、前記受信手段が前記指示を受け付けたとき、前記コピー画面に基づいて、前記プリント手段及び前記スキャナ手段に電力を供給する、ことを特徴とする請求項３に記載の画像形成装置。
【請求項５】
前記設定手段によって設定される前記初期画面は、スキャンして生成された画像データを記憶手段に保存するための設定を行うための保存設定画面であるならば、
前記電力制御手段は、前記受信手段が前記指示を受け付けたとき、前記保存設定画面に基づいて、前記スキャナ手段に電力を供給する、ことを特徴とする請求項３に記載の画像形成装置。
【請求項６】
前記設定手段によって設定される前記初期画面は、記憶手段に記憶されたデータを選択するための選択画面であるならば、
前記電力制御手段は、前記受信手段が前記指示を受け付けたとき、前記選択画面に基づいて、前記プリント手段に電力を供給する、ことを特徴とする請求項３に記載の画像形成装置。
【請求項７】
前記設定手段によって設定される前記初期画面は、ファックス機能の設定を行うためのファックス画面であるならば、
前記電力制御手段は、前記受信手段が前記指示を受け付けたとき、前記ファックス画面に基づいて、前記スキャナ手段に電力を供給する、ことを特徴とする請求項３に記載の画像形成装置。
【請求項８】
前記設定手段によって設定される前記初期画面は、前記画像形成装置が有する複数の機能の中から使用するべき機能を選択するためのメインメニュー画面であるならば、
前記電力制御手段は、前記受信手段が前記指示を受け付けたとき、前記プリント手段及び前記スキャナ手段に電力を供給しない、ことを特徴とする請求項３に記載の画像形成装置。
【請求項９】
複数のデバイスを備える画像形成装置の制御方法であって、
前記画像形成装置を、表示手段が画面を表示しないスリープ状態から前記表示手段が画面を表示するスタンバイ状態に復帰させる指示を受け付ける受信工程と、
前記画像形成装置が前記スリープ状態から前記スタンバイ状態に復帰したときに前記表示手段によって表示される初期画面を設定する設定工程と、
前記受信工程が前記指示を受け付けたとき、前記画像形成装置が前記スリープ状態から前記スタンバイ状態に復帰したときに表示される初期画面であって前記設定工程で設定された前記初期画面に基づいて、前記複数のデバイスへの電力供給を制御する電力制御工程と、
を備えることを特徴とする画像形成装置の制御方法。
【請求項１０】
複数のデバイスを備える画像形成装置であって、  前記画像形成装置を、表示手段が画面を表示しないスリープ状態から前記表示手段が画面を表示するスタンバイ状態に復帰させる指示を受け付ける受信手段と、
前記受信手段が前記指示を受け付けることに従って、前記表示手段に前記画像形成装置が有する複数の機能の中から使用するべき機能を選択するためのメインメニュー画面を表示させる表示制御手段と、
前記メインメニュー画面においてユーザによって選択された機能を使用可能なユーザであるかどうかを判断する判断手段と、
前記判断手段によって前記メインメニュー画面においてユーザによって選択された機能を使用可能なユーザであると判断された場合に、前記メインメニュー画面においてユーザによって選択された機能に対応するデバイスに電力を供給する電力制御手段と、を備えることを特徴とする画像形成装置。
【請求項１１】
前記表示制御手段は、前記メインメニュー画面においてユーザによって機能が選択されたことに従って、前記表示手段に、ユーザを識別するための情報を入力するための認証画面を表示させ、
前記判断手段は、前記認証画面において入力された情報に基づいて、前記選択された機能を使用可能なユーザであるかどうかを判断する、ことを特徴とする請求項１０に記載の画像形成装置。
【請求項１２】
前記判断手段によって前記メインメニュー画面においてユーザによって選択された機能を使用可能なユーザでないと判断された場合に、前記電力制御手段は、前記メインメニュー画面においてユーザによって選択された機能に対応するデバイスに電力を供給しない、ことを特徴とする請求項１０又は１１に記載の画像形成装置。
【請求項１３】
前記指示は、前記画像形成装置を前記スリープ状態から前記スタンバイ状態に復帰させるためにユーザが操作するボタンが押下されたときに、入力される、ことを特徴とする請求項１０乃至１２の何れか１項に記載の画像形成装置
【請求項１４】
前記複数のデバイスは、プリント機能を実行するプリント手段、及び、スキャン機能を実行するスキャナ手段、を含むことを特徴とする請求項１０乃至１３の何れか１項に記載の画像形成装置。
【請求項１５】
前記メインメニュー画面においてユーザによって選択された機能がコピー機能であって、且つ、前記判断手段によって前記コピー機能を使用可能なユーザであると判断された場合に、前記電力制御手段は、前記プリント手段及び前記スキャナ手段に電力を供給する、ことを特徴とする請求項１４に記載の画像形成装置。
【請求項１６】
前記メインメニュー画面においてユーザによって選択された機能がスキャンして生成された画像データを記憶手段に保存する保存機能であって、且つ、前記判断手段によって前記保存機能を使用可能なユーザであると判断された場合に、前記電力制御手段は、前記スキャナ手段に電力を供給する、ことを特徴とする請求項１４に記載の画像形成装置。
【請求項１７】
前記メインメニュー画面においてユーザによって選択された機能が記憶手段に記憶されたデータを使用する使用機能であって、且つ、前記判断手段によって前記使用機能を使用可能なユーザであると判断された場合に、前記電力制御手段は、前記スキャナ手段に電力を供給する、ことを特徴とする請求項１４に記載の画像形成装置。
【請求項１８】
前記メインメニュー画面においてユーザによって選択された機能がファックス機能であって、且つ、前記判断手段によって前記ファックス機能を使用可能なユーザであると判断された場合に、前記電力制御手段は、前記スキャナ手段に電力を供給する、ことを特徴とする請求項１４に記載の画像形成装置。
【請求項１９】
前記メインメニュー画面には、コピー機能、スキャンして生成された画像データを記憶手段に保存する保存機能、記憶手段に記憶されたデータを使用する使用機能、及び、ファックス機能の何れか１つを選択するための画面である、ことを特徴とする請求項１０乃至１８の何れか１項に記載の画像形成装置。
【請求項２０】
複数のデバイスを備える画像形成装置の制御方法であって、
前記画像形成装置を、表示手段が画面を表示しないスリープ状態から前記表示手段が画面を表示するスタンバイ状態に復帰させる指示を受け付ける受信工程と、
前記受信工程で前記指示を受け付けることに従って、前記表示手段に前記画像形成装置が有する複数の機能の中から使用するべき機能を選択するためのメインメニュー画面を表示させる表示制御工程と、
前記メインメニュー画面においてユーザによって選択された機能を使用可能なユーザであるかどうかを判断する判断工程と、
前記判断工程において前記メインメニュー画面においてユーザによって選択された機能を使用可能なユーザであると判断された場合に、前記メインメニュー画面においてユーザによって選択された機能に対応するデバイスに電力を供給する電力制御工程と、を備えることを特徴とする画像形成装置の制御方法。
【手続補正２】
【補正対象書類名】明細書
【補正対象項目名】０００８
【補正方法】変更
【補正の内容】
【０００８】
上記目的を達成する本発明の画像形成装置は以下に示す構成を備える。
複数のデバイスを備える画像形成装置であって、前記画像形成装置を、表示手段が画面を表示しないスリープ状態から前記表示手段が画面を表示するスタンバイ状態に復帰させる指示を受け付ける受信手段と、前記画像形成装置が前記スリープ状態から前記スタンバイ状態に復帰したときに前記表示手段によって表示される初期画面を設定する設定手段と、前記受信手段が前記指示を受け付けたとき、前記画像形成装置が前記スリープ状態から前記スタンバイ状態に復帰したときに表示される初期画面であって前記設定手段によって設定された前記初期画面に基づいて、前記複数のデバイスへの電力供給を制御する電力制御手段と、を備えることを特徴とする。
【手続補正３】
【補正対象書類名】明細書
【補正対象項目名】００３０
【補正方法】変更
【補正の内容】
【００３０】
〔画像印刷ジョブ処理時の電源状態〕
プリンタ部電力２８のみをＯＮにし、様々な画像データを印刷する。
〔ＦＡＸ受信プリント時の電源状態〕
プリンタ部電力２８と汎用画像処理部電力２７をＯＮにし、受信したＦＡＸ画像に汎用画像処理を施したのちに印刷する。
〔ＦＡＸ転送処理時の電源状態〕
汎用画像処理部電力２７のみをＯＮにし、ＦＡＸ受信したデータを汎用画像処理したのちに転送する。